(57)【要約】【課題】  リセット駆動に伴って生ずるノイズを低減して、走査電極ドライバに不具合が生ずる可能性を低下させる。【解決手段】  信号電極ドライバは、信号ＳＥＧＣＮＴがオン状態になっているときには信号電極に電流が流れないようにする。走査電極ドライバは、信号ＣＯＭＣＮＴがオン状態であるときには、全ての走査電極をリセット電位にする。信号ＣＯＭＣＮＴをオン状態にするときに信号ＳＥＧＣＮＴをオン状態にするが、信号ＳＥＧＣＮＴをオフ状態にするタイミングを、信号ＣＯＭＣＮＴをオフ状態にするタイミングに対して遅らせる。【選択図】  図４
2006284828.tif 000002
【特許請求の範囲】
【請求項１】
複数の信号電極と複数の走査電極とが交差するように配置された有機ＥＬディスプレイ装置を単純マトリクス駆動法によって駆動し、選択される走査電極を切り替える際に全ての走査電極をリセット電圧に接続するとともに信号電極をリセット状態にする有機ＥＬディスプレイ装置の駆動装置において、
走査電極をリセット電圧に接続する期間の終了時点に対して、信号電極のリセット状態を解除する時点をずらすタイミング制御手段を備えた
ことを特徴とする有機ＥＬディスプレイ装置の駆動装置。
【請求項２】
タイミング制御手段は、全ての走査電極をリセット電圧に接続する期間を示す第１の信号と、信号電極のリセット状態を示す第２の信号とを出力し、第１の信号をオン状態にする時点で第２の信号をオン状態にし、第１の信号をオフ状態にしてから所定期間経過後に第２の信号をオフ状態にする
請求項１記載の有機ＥＬディスプレイ装置の駆動装置。
【発明の詳細な説明】
【技術分野】
【０００１】
本発明は、有機ＥＬディスプレイ装置の駆動装置に関し、特に、リセット駆動を行う駆動装置に関する。
【背景技術】
【０００２】
有機エレクトロルミネッセンス発光素子（以下、有機ＥＬ素子という。）は、陽極と陰極との間に有機薄膜を有する構造を持つ。陰極が陽極よりも高電位となるように両電極間に電圧を印加しても、有機薄膜にはほとんど電流が流れず、有機薄膜は発光しない。逆に、陽極が陰極よりも高電位となるように両極間に所定電圧（発光開始電圧）以上の電圧を印加すると、有機薄膜に電流が流れ、有機薄膜は発光する。このような有機ＥＬ素子をマトリクス状に配列した有機ＥＬパネルを表示部とする有機ＥＬディスプレイ装置が、実用に供されつつある。
【０００３】
有機ＥＬ素子の有機薄膜に定電圧を印加して発光させる場合、その発光輝度は温度変化や経時変化等により大きく変動する。しかし、定電流を流して発光させる場合には、発光輝度の変動は小さい。そこで、一般に、有機ＥＬ素子によって表示を行う有機ＥＬディスプレイ装置では、駆動装置に定電流回路が設けられ、各有機ＥＬ素子に定電流が供給される。
【０００４】
有機ＥＬパネルを単純マトリクス駆動法で駆動することができる。駆動を行う際に、有機ＥＬパネルの陽極および陰極を、走査電極（コモン電極）またはデータ電極（セグメント電極）のいずれにも設定できる。つまり、陽極をコモン電極とし、陰極をセグメント電極とするか、または陽極をセグメント電極とし、陰極をコモン電極として使用できる。以下、陰極を走査電極とし、陽極をデータ電極とする場合を例にする。
【０００５】
有機ＥＬ素子は容量性の素子であり、その等価回路は、発光部としてのダイオードと容量成分（寄生容量）とが並列接続されたものとして表現される。すると、単純マトリクス駆動法を使用すると、選択期間における初期の期間では有機ＥＬ素子に供給される電流が寄生容量を充電するために使用される。その結果、選択期間における初期の期間では発光部としてのダイオードに流れる電流は少なく、発光が不十分になるという問題がある。
【０００６】
そのような問題を解消するために、例えば、特許文献１には、選択行（選択される走査電極）を切り替える際に全ての走査電極を一旦同じ電位のリセット電圧に接続してから次の行を選択する駆動方法が提案されている。このような選択行を切り替える際に全ての走査電極をリセット電圧に接続してから次の行を選択する駆動方法を、以下、リセット駆動という。また、データ電極には、点灯時に定電流が供給され、非点灯時にはデータ電極は非点灯電位とされる。非点灯電位は例えば接地電位であり、以下、非点灯電位を接地電位とする。リセット駆動によって走査電極がリセット電圧に接続されている間、データ電極は例えば接地電位とされる。リセット駆動では、逆バイアスの電圧印加によって蓄積された電荷を、リセット電圧印加時に（選択行切替時に）減少させる。
【０００７】
【特許文献１】特開平９−２３２０７４号公報
【発明の開示】
【発明が解決しようとする課題】
【０００８】
しかし、リセット駆動を用いた場合、全ての走査電極がリセット電位になるときにデータ電極は非点灯電位になり、全ての走査電極のリセット電位が解除されるときに、データ電極の非点灯電位も解除される。
【０００９】
その場合、図６に示すように、走査電極の電位がリセット電位から非選択電圧ＶＣＯＭＨに立上がる時点とデータ電極に電流が流れ出す時点とが同時になる。この時点を図６においてＡで示す。なお、図６には、全点灯の場合が示され、複数の走査電極のうちの２本の走査電極ＣＯＭｘ−１，ＣＯＭｘが示されている。また、選択期間において選択行に印加される選択電位は、リセット電位ＶＳＳと同じである場合が示されている。
【００１０】
すると、電源回路において一時に多量の電流が流れ始めることから、Ａの時点において電源にノイズが発生する。ノイズのピーク電圧が高いと走査電極ドライバ内部のインピーダンスを介して走査電極ドライバに流れ込む電流値が大きくなり、走査電極ドライバが誤動作したり、走査電極ドライバの破壊を引き起こしたりしかねない。また、使用する電圧（非選択電圧ＶＣＯＭＨ）が比較的高い走査電極ドライバを用いる場合にはそれだけノイズのピーク電圧も高くなり、走査電極ドライバに不具合を生じさせる可能性がより高くなる。
【００１１】
そこで、本発明は、リセット駆動に伴って生ずるノイズを低減して、走査電極ドライバに不具合が生ずる可能性を低下させることができる有機ＥＬディスプレイ装置の駆動装置を提供することを目的とする。
【課題を解決するための手段】
【００１２】
本発明による有機ＥＬディスプレイ装置の駆動装置は、複数の信号電極と複数の走査電極とが交差するように配置された有機ＥＬディスプレイ装置を単純マトリクス駆動法によって駆動し、選択される走査電極を切り替える際に全ての走査電極をリセット電圧に接続するとともに信号電極をリセット状態にする駆動装置であって、走査電極をリセット電圧に接続する期間の終了時点に対して、信号電極のリセット状態を解除する時点をずらすタイミング制御手段（例えば、コントローラ１３で実現される。）を備えたことを特徴とする。
【００１３】
タイミング制御手段が、全ての走査電極をリセット電圧に接続する期間を示す第１の信号（例えば信号ＣＯＭＣＮＴ）と、信号電極のリセット状態を示す第２の信号（例えば信号ＳＥＧＣＮＴ）とを出力し、第１の信号をオン状態（走査電極をリセット電圧に接続することを示す状態）にする時点で第２の信号をオン状態（信号電極をリセット状態にすることを示す状態）にし、第１の信号をオフ状態にしてから所定期間経過後に第２の信号をオフ状態にするように構成されていてもよい。
【発明の効果】
【００１４】
本発明によれば、走査電極をリセット電圧に接続する期間の終了時点に対して、信号電極のリセット状態を解除する時点を遅らせるので、リセット駆動を用いる場合に、走査電極ドライバに不具合が生ずる可能性を低下させることができる効果がある。
【発明を実施するための最良の形態】
【００１５】
以下、本発明の実施の形態を図面を参照して説明する。
図１は、本発明による有機ＥＬディスプレイ装置の駆動装置の一例を有機ＥＬパネル１０および駆動装置の外に存在するＭＰＵ（Micro Processing Unit）４０とともに示すブロック図である。
【００１６】
有機ＥＬディスプレイ装置の駆動装置は、コントローラ１３、走査電極ドライバ１１０、信号電極ドライバ１２０および電源回路１４を含む。
【００１７】
ＭＰＵ４０は、駆動装置に対して表示データを出力する。表示データは、コントローラ１３に内蔵されているメモリ１３ａに格納される。有機ＥＬパネル１０は、複数の走査電極と複数の信号電極（データ電極）とで有機薄膜が挟持された構造を有する。各走査電極と各信号電極とは、有機薄膜を挟んで交差するように（具体的には、直交するように）配置される。各走査電極と各信号電極との交差部分が画素となる。各画素において、信号電極側から走査電極側に電流が流れることにより、その画素の有機薄膜が発光する。
【００１８】
なお、この実施の形態では、走査電極が陰極であって、信号電極が陽極であるとする。また、有機ＥＬパネル１０内で延伸する配線を走査電極配線および信号電極配線とし、走査電極配線が有機ＥＬパネル１０の端部において走査電極に接続され、信号電極配線が有機ＥＬパネル１０の端部において信号電極に接続されると定義されることもあるが、ここでは、有機ＥＬパネル１０内で延伸する配線を走査電極および信号電極と定義する。
【００１９】
コントローラ１３は、所定のタイミングで、メモリ内の表示データに応じたデータ（Ｄａｔａ）を信号電極ドライバ１２０に出力する。また、コントローラ１３は、単純マトリクス駆動法で有機ＥＬパネル１０を駆動するために、信号電極ドライバ１２０に対して、クロックパルス（ＣＰ）とラッチパルス（ＬＰ）をタイミング信号として出力する。信号電極ドライバ１２０は、ＬＰを用いて、入力された１行分のＤａｔａをラッチする。
【００２０】
また、コントローラ１３は、単純マトリクス駆動法で有機ＥＬパネル１０を駆動するために、走査電極ドライバ１１０に対して、１フレームの開始を示すＦＬＭ（ファーストラインマーカ）および駆動する走査電極（選択行）の切替を示すＬＰをタイミング信号として出力する。
【００２１】
また、信号電極ドライバ１２０は、それぞれの信号電極に対応した定電流回路を有し、ＬＰの入力に応じて、既にラッチされているＤａｔａに応じて定電流回路を駆動するために定電流回路に電源電圧（入力電圧）ＶＣＣを印加する。すなわち、点灯を示すＤａｔａに対応する信号電極に対応している定電流回路に電源電圧ＶＣＣを印加し、消灯を示すＤａｔａに対応する信号電極に対応している定電流回路の入力側を接地電位Ｖｓｓにする。
【００２２】
電源回路１４は、電源電圧ＶＣＣを、接地電位ＶＳＳとともに信号電極ドライバ１２０に供給する。また、非選択電圧ＶＣＯＭＨを、接地電位ＶＳＳとともに走査電極ドライバ１１０に供給する。
【００２３】
この実施の形態では、コントローラ１３は、さらに、信号電極ドライバ１２０に、リセット駆動時の定電流回路の電流出力開始時点を定めるための信号ＳＥＧＣＮＴを出力する。また、走査電極ドライバ１１０に、リセット駆動開始時点（信号電極をリセット状態にし始める時点）および終了時点（信号電極のリセット状態を解除する時点）を示す信号ＣＯＭＣＮＴを出力する。
【００２４】
図２は、信号電極ドライバ１２０の構成例を有機ＥＬパネル１０の一部とともに示す回路図である。図２には、有機ＥＬパネル１０において１本の走査電極８１のみが示されている。また、各画素がダイオードとキャパシタの並列体で示されている。また、ＳＥＧｉ（ｉ＝１〜ｎ）はｉ番目の信号電極を示し、ＣＯＭｘはｘ番目の走査電極を示す。
【００２５】
各画素に対応して設けられている定電流回路１２ｉ（ｉ＝１〜ｎ）にはＤａｔａに応じて電源電圧ＶＣＣが印加されたり接地電位ＶＳＳにされたりする。具体的には、Ｄａｔａに応じてオンオフ状態が設定されるスイッチ１９ｉ（ｉ＝１〜ｎ）によって、点灯時には電源電圧ＶＣＣが印加され、非点灯時には接地電位ＶＳＳにされる。
【００２６】
この実施の形態では、スイッチ１９ｉを制御するドライバ制御回路が設けられている。図２に示す例では、ドライバ制御回路は、データ信号が点灯を示し、かつ、信号ＳＥＧＣＮＴがローレベルを示している場合に、スイッチ１９ｉを電源電圧ＶＣＣに接続させるゲート回路１３ｉ（ｉ＝１〜ｎ）で実現されている。なお、この実施の形態では、ｍ本の走査電極が設けられているとする。
【００２７】
図３は、走査電極ドライバ１１０の構成例を示すブロック図である。図３に示す構成では、走査電極ドライバ１１０は、シフトレジスタ１１１、出力制御回路１１２および出力回路１１４を含む。
【００２８】
シフトレジスタ１１１は、ＦＬＭが入力されると、第１行の走査電極ＣＯＭ１に対応する出力線に「１」（ハイレベル）を出力し、他の出力線に「０」（ローレベル）を出力する。以後、ＬＰが入力される毎に、「１」が出力される出力線を順次切り替える。
【００２９】
図３に示す例では、出力制御回路１１２は、シフトレジスタ１１１の出力または信号ＣＯＭＣＮＴが「１」である場合に、「１」（ハイレベル）を出力するゲート回路１１３ｉ（ｉ＝１〜ｍ）を含む。
【００３０】
また、出力回路１１４は、各走査電極に対応するトランジスタ回路１１５ｉ（ｉ＝１〜ｍ）を含む。各トランジスタ回路１１５ｉは、対応するゲート回路１１３ｉの出力が「１」（ハイレベル）であるときに、選択電位またはリセット電位としての接地電位ＶＳＳを走査電極に与える。
【００３１】
次に、図４のタイミング図を参照して駆動装置の動作を説明する。なお、図４には全点灯（全ての画素が発光）の状態が示されている。コントローラ１３は、リセット駆動を行う期間において信号ＣＯＭＣＮＴを出力する。具体的には、リセット駆動を行う期間において信号ＣＯＭＣＮＴをオン状態（ハイレベル）にする。走査電極ドライバ１１０において、出力制御回路１１２における各ゲート回路１１３ｉは、信号ＣＯＭＣＮＴがオン状態であるときには、ハイレベルを出力するので、図４に示すように、全ての走査電極はリセット電位になる。
【００３２】
また、出力制御回路１１２における各ゲート回路１１３ｉは、シフトレジスタ１１１の出力線が「１」（ハイレベル）になっているときに、走査電極を、選択電位としての接地電位ＶＳＳにする。シフトレジスタ１１１の出力線が「１」になっている期間が、その出力線に対応する走査電極についての選択期間である。なお、選択期間を、リセット駆動時を含まない期間すなわち信号ＣＯＭＣＮＴがオン状態である期間を含まない期間として定義してもよい。
【００３３】
コントローラ１１は、信号ＣＯＭＣＮＴをオン状態にするときに信号ＳＥＧＣＮＴをオン状態にする。しかし、信号ＳＥＧＣＮＴをオフ状態（ローレベル）にするタイミングを、信号ＣＯＭＣＮＴをオフ状態（ローレベル）にするタイミングに対して遅らせる。
【００３４】
信号電極ドライバ１２０における各ゲート回路１３ｉは、信号ＳＥＧＣＮＴがハイレベルになっているときには定電流回路１２ｉの入力側を接地電位ＶＳＳに接続して定電流回路１２ｉから電流が流れないようにする。そして、データ信号が「１」である場合には、信号ＳＥＧＣＮＴがオフ状態（ローレベル）であるときに、定電流回路１２ｉの入力側を電源電圧ＶＣＣに接続して定電流回路１２ｉから信号電極に定電流（セグメント電流）が流れるように制御する。
【００３５】
上記のように、信号ＣＯＭＣＮＴがオフ状態になるタイミングに比べて信号ＳＥＧＣＮＴがオフ状態になるタイミングは遅れている。従って、図４に示すように、選択されていない走査電極の電位が接地電位ＶＳＳから非選択電圧ＶＣＯＭＨに立上がるタイミングに対して、セグメント電流が立上がるタイミングすなわちセグメント電流が流れ出すタイミングは遅れる。
【００３６】
図５は、駆動装置の作用を説明するためのタイミング図である。図５には、複数の走査電極のうちの２本の走査電極ＣＯＭｘ−１，ＣＯＭｘが示されている。選択されていない走査電極の電位が立上がるタイミングに対して、セグメント電流が立上がるタイミングはずれているので、走査電極ドライバ１１０に流れ込む電流が増加し始めるタイミングは、信号電極ドライバ１２０が流す電流が増加し始めるタイミングに対してずれている。その結果、図６に示された場合に対して、発生するノイズのピーク電圧が低下する。すなわち、走査電極ドライバ１１０に流れ込む電流が増加し始めるタイミングにおいてノイズが発生し、また、走査電極ドライバ１１０に流れ込む電流が増加し始めるタイミングでノイズが発生する可能性があるが、タイミングが分散されているので、それぞれのノイズのピーク電圧が低下する。
【００３７】
図４および図５に示すようなタイミング制御を実現するために、コントローラ１３は、例えば、ＣＰを計数することによって信号ＳＥＧＣＮＴおよび信号ＣＯＭＣＮＴを作成する。そして、それぞれの信号をオン状態にしてから、所定数のＣＰを計数すると信号ＳＥＧＣＮＴおよび信号ＣＯＭＣＮＴをオフ状態にする。そして、信号ＳＥＧＣＮＴをオフ状態にするための所定数を、信号ＣＯＭＣＮＴをオフ状態にするための所定数よりも多くする。それぞれの所定数の差を小さくするとノイズ分散の効果が低減するので、所定数の差を大きくすることが好ましいが、所定数の差を大きくすると、点灯させる画素に定電流が供給される期間が短くなる。そこで、ノイズ分散の効果が発揮され、かつ、画素に定電流が供給される期間が短くなりすぎて表示品位に影響を与えないように、所定数の差を設定する。
【００３８】
図４に示されたタイミング制御によれば、図６に示された場合に比べて、ノイズのピーク電圧が低下することから、走査電極ドライバが誤動作したり、走査電極ドライバの破壊を引き起こす可能性を低減することができる。また、使用する電圧（非選択電圧ＶＣＯＭＨ）が比較的高い走査電極ドライバを、不具合を生じさせないように使用することができるようになる。
【産業上の利用可能性】
【００３９】
本発明は、有機ＥＬディスプレイ装置の駆動装置、特に、走査電極を駆動する走査電極ドライバに好適に適用できる。さらには、走査電極ドライバの入力電圧が高くなっても安全に使用するために、好適に適用できる。
【図面の簡単な説明】
【００４０】
【図１】本発明による有機ＥＬディスプレイ装置の駆動装置の一例を示すブロック図。
【図２】信号電極ドライバの構成例を示す回路図。
【図３】走査電極ドライバの構成例を示す回路図。
【図４】駆動装置の動作を示すタイミング図。
【図５】駆動装置の作用を説明するためのタイミング図。
【図６】ノイズ発生の様子を模式的に示すタイミング図。
【符号の説明】
【００４１】
１０    有機ＥＬパネル
１２１〜１２ｎ  定電流回路
１３  コントローラ
１４  電源回路
１３１〜１３ｎ  ゲート回路（ドライバ制御回路）
１９１〜１９ｎ  スイッチ
１１０  走査電極ドライバ
１１１  シフトレジスタ
１１２  出力制御回路
１１３１〜１１３ｎ  ゲート回路
１１４  出力回路
１１５１〜１１５ｎ  トランジスタ回路
１２０  信号電極ドライバ
【図１】
2006284828.tif 000003
【図２】
2006284828.tif 000004
【図３】
2006284828.tif 000005
【図４】
2006284828.tif 000006
【図５】
2006284828.tif 000007
【図６】
2006284828.tif 000008